(57)【要約】【課題】空調装置の負荷軽減を図ることができる建物を提供する。【解決手段】建物１０には、玄関１１、廊下１２、リビング１３、機械室１４が設けられている。機械室１４には空調装置２０が設置され、機械室１４は玄関ホール（廊下１２と玄関１１との連続空間）に隣接している。機械室１４には、廊下側出入口２６を通じて玄関ホールから出入り可能とされており、その廊下側出入口２６には引き戸２７が設けられている。引き戸２７が閉められた状態では、廊下側出入口２６を通じた玄関ホールと機械室１４との間の通気が遮断される。リビング１３は、玄関ホールに対して仕切壁１９を隔てて設けられ、機械室１４に対して仕切壁２５を隔てて隣接している。仕切壁２５には、リビング１３から機械室１４への出入りを可能とするリビング側出入口２８が設けられ、その出入口２８を通じてリビング１３と機械室１４との間で通気可能とされている。【選択図】      図１
2012241350.tif 000002
【特許請求の範囲】
【請求項１】
空調装置が設置された機械室が玄関ホールに隣接して設けられており、
前記空調装置は、前記機械室に流れ込む空気を取り込んで空調空気を生成するとともに、その空調空気を空調対象となる屋内空間に供給して冷暖房を行うものであり、
前記機械室は、その周囲が囲い部により囲まれ、玄関側出入口を介して前記玄関ホールからの出入りが可能であり、
前記囲い部は、前記玄関側出入口を開閉する玄関側建具を有し、前記玄関側建具は、前記玄関側出入口を閉じた状態で、前記玄関側出入口を通じた前記玄関ホールと前記機械室との間の通気を遮断するものであり、
前記玄関ホールに対して仕切壁を隔てて設けられるとともに、前記機械室に前記囲い部を隔てて隣接する隣接屋内空間を備え、
前記囲い部には、前記隣接屋内空間を前記機械室と通気可能に連通させた第１通気部が設けられていることを特徴とする建物。
【請求項２】
前記隣接屋内空間は居室であり、
前記機械室は、居室側出入口を介して前記居室からの出入りが可能であり、
前記囲い部は、前記居室側出入口を開閉する居室側建具を有し、
前記居室側建具に前記第１通気部が形成されていることを特徴とする請求項１に記載の建物。
【請求項３】
前記空調装置の作動時において、前記玄関側建具が開いているか否かを検知する開閉検知手段と、
前記玄関側建具を開閉駆動する開閉駆動手段と、
前記開閉検知手段により前記玄関側建具が開いていることが検知された場合に、前記玄関側建具を閉じるよう前記開閉駆動手段を制御する建具制御手段と、
を備えることを特徴とする請求項１又は２に記載の建物。
【請求項４】
前記囲い部には、前記第１通気部に加え、前記玄関ホールを前記機械室と通気可能に連通させる第２通気部が設けられており、
前記第１通気部及び前記第２通気部は、各々通気状態と非通気状態とで切替可能となっていることを特徴とする請求項１乃至３のいずれか一項に記載の建物。
【請求項５】
前記玄関ホールの温度を検知する玄関温検知手段と、
前記隣接屋内空間の温度を検知する隣接屋内温検知手段と、
前記各検知手段により検知された前記玄関ホール及び前記隣接屋内空間の各温度を比較し、その比較結果に基づいて、前記第１通気部及び前記第２通気部のうちいずれかを前記通気状態とする通気制御手段を備えることを特徴とする請求項４に記載の建物。
【発明の詳細な説明】
【技術分野】
【０００１】
本発明は、建物に関する。
【背景技術】
【０００２】
住宅等の建物において、共通の空調装置を用いて全館空調を行う全館空調システムが知られている（例えば、特許文献１参照）。この種の空調システムを有する建物では、空調装置を設置するための機械室（空調機械室）が設けられている場合がある。全館空調システムでは、空調装置が空調空気（すなわち冷気又は暖気）を生成し、その空調空気を空調対象となる各部屋に供給することで、各部屋の冷暖房を行うものとなっている。そして、各部屋に供給された空調空気は機械室に還気として戻り、空調装置はその還気をもととして空調空気を生成するようになっている。
【０００３】
この種の空調装置は、定期的にメンテナンス（保守点検）が行われたり、故障時には修理が行われたりする。空調装置のメンテナンスや修理に際しては、例えばメンテナンス業者等から作業者が派遣され、その作業者が機械室に入ってメンテナンス作業等を行うこととなる。そのため、機械室は、作業者が出入りし易いように、建物への出入口となる玄関口から近い場所、例えば玄関ホールの隣りに設けられることが考えられる。この場合、玄関ホールから機械室に出入りするための出入口が設けられる。かかる構成では、空調装置より各部屋に供給された空調空気が玄関ホールに流れ、その後玄関ホールから出入口（例えば出入口に設けられたドアのアンダーカット等）を通じて機械室に還気として戻ることが考えられる。
【先行技術文献】
【特許文献】
【０００４】
【特許文献１】特開平６−２２９５８７号公報
【発明の概要】
【発明が解決しようとする課題】
【０００５】
ところで、玄関ホールは建物への出入口となる玄関口に通じているため、屋外からの熱の出入りが生じ易い。例えば、ユーザが玄関ドアを開けて建物へ出入りする際には、玄関口を通じて玄関ホールに外気の出入りが生じ、それに伴って熱の出入りが生じうる。したがって、玄関ホールの温度は屋外の温度に依存して高くなったり低くなったりし易く、例えば、夏場においては、屋外の熱の影響により温度が高くなった玄関ホールの空気が機械室に流れ込み、その後空調装置に還気として取り込まれることが想定される。この場合、空調装置は、冷房運転に際し、その温度の高い空気を温度調整（すなわち冷却）して空調空気（冷気）を生成することとなるため、空調装置の負荷増大が懸念される。
【０００６】
本発明は、上記事情に鑑みてなされたものであり、空調装置の負荷軽減を図ることができる建物を提供することを主たる目的とするものである。
【課題を解決するための手段】
【０００７】
上記課題を解決すべく、第１の発明の建物は、空調装置が設置された機械室が玄関ホールに隣接して設けられており、前記空調装置は、前記機械室に流れ込む空気を取り込んで空調空気を生成するとともに、その空調空気を空調対象となる屋内空間に供給して冷暖房を行うものであり、前記機械室は、その周囲が囲い部により囲まれ、玄関側出入口を介して前記玄関ホールからの出入りが可能であり、前記囲い部は、前記玄関側出入口を開閉する玄関側建具を有し、前記玄関側建具は、前記玄関側出入口を閉じた状態で、前記玄関側出入口を通じた前記玄関ホールと前記機械室との間の通気を遮断するものであり、前記玄関ホールに対して仕切壁を隔てて設けられるとともに、前記機械室に前記囲い部を隔てて隣接する隣接屋内空間を備え、前記囲い部には、前記隣接屋内空間を前記機械室と通気可能に連通させた第１通気部が設けられていることを特徴とする。
【０００８】
本発明によれば、玄関ホールから機械室に出入りするための玄関側出入口に設けられた玄関側建具を閉めることにより、玄関ホールの空気が玄関側出入口を通じて機械室に流れ込むのを遮断できる。すなわち、屋外からの熱の出入りが多い玄関ホールの空気が機械室に流れ込むのを防止できる。そして、機械室には、囲い部に設けられた第１通気部を通じて隣接屋内空間の空気を取り込むことができる。隣接屋内空間は玄関ホールに対して仕切壁を隔てて設けられており、それ故屋外からの熱の出入りが少ない空間となっている。この熱の出入りの少ない隣接屋内空間からの空気をもとに空調装置による空調空気の生成が行われるため、空調装置の負荷軽減を図ることができる。
【０００９】
第２の発明の建物は、第１の発明において、前記隣接屋内空間は居室であり、前記機械室は、居室側出入口を介して前記居室からの出入りが可能であり、前記囲い部は、前記居室側出入口を開閉する居室側建具を有し、前記居室側建具に前記第１通気部が形成されていることを特徴とする。
【００１０】
ところで、一般に機械室は空調装置の設置スペースとして用いられているだけで、その他の用途では利用されることのないスペースとなっている。これは、建物内のスペースの有効利用の観点からすると好ましくないといえる。そこで、機械室を、例えば衣服等の物品を収納する収納スペースとして利用する等、他の用途で用いることが考えられる。ここで、かかる他の用途で機械室を使用することを考えると、居住者等のユーザが居住する場、例えば居室から機械室へ出入りできるようにすることが望ましい。そこで、本発明では、機械室への出入口を玄関ホール側だけでなく、居室側にも設ける構成としている。これにより、居室から機械室へのアクセスがよくなるため、機械室を他の用途で利用する場合には都合がよい。
【００１１】
そして、本発明では、さらに、この居室側出入口を開閉する居室側建具に第１通気部を形成している。囲い部における壁部分に第１通気部を設ける場合には、囲い部周辺の意匠性が損なわれるおそれがある。この点、囲い部において居室側建具に第１通気部を形成すれば意匠性が損なわれるのを回避しつつ、上記第１の発明の効果を得ることができる。なお、第１通気部の構成としては、例えば居室側建具にガラリ部を設け、そのガラリ部を第１通気部とすることが考えられる。
【００１２】
第３の発明の建物は、第１又は第２の発明において、前記空調装置の作動時において、前記玄関側建具が開いているか否かを検知する開閉検知手段と、前記玄関側建具を開閉駆動する開閉駆動手段と、前記開閉検知手段により前記玄関側建具が開いていることが検知された場合に、前記玄関側建具を閉じるよう前記開閉駆動手段を制御する建具制御手段と、を備えることを特徴とする。
【００１３】
本発明によれば、空調装置の作動時すなわち屋内空間の空調を実施している最中に、玄関側建具が開いている場合には、開閉駆動手段により玄関側建具が自動で閉められる。これにより、空調実施時において玄関側出入口を確実に閉鎖でき、その結果玄関ホールから機械室への空気の流れ込みを確実に防止できる。
【００１４】
第４の発明の建物は、第１乃至第３のいずれかの発明において、前記囲い部には、前記第１通気部に加え、前記玄関ホールを前記機械室と通気可能に連通させる第２通気部が設けられており、前記第１通気部及び前記第２通気部は、各々通気状態と非通気状態とで切替可能となっていることを特徴とする。
【００１５】
例えば夏場においては、外出中に建物内に熱がこもることが考えられ、その場合帰宅して空調装置の運転（冷房運転）を開始した直後等に、玄関ホールの温度よりも隣接屋内空間の温度が高くなっていることがある。この場合、空調装置の負荷軽減の観点からすると、比較的低温である玄関ホールの空気を機械室に取り込むことが望ましい。そこで、本発明では、この点に着目し、第１通気部を通じて隣接屋内空間の空気を機械室に取り込み可能とすることに加え、第２通気部を通じて玄関ホールの空気を機械室に取り込み可能としている。そして、これら各通気部をそれぞれ通気状態と非通気状態とに切替可能としている。これによれば、いずれか一方の通気部を通気状態、他方の通気部を非通気状態とすることにより、機械室への空気の取り込み先を隣接屋内空間及び玄関ホールのいずれかに切り替えることができる。したがって例えば、夏場において玄関ホールの温度よりも隣接屋内空間の温度が高くなっている場合には、比較的低温である玄関ホールの空気を機械室に取り込むことができる。これにより、空調装置の負荷をより一層軽減することができる。
【００１６】
第５の発明の建物は、第４の発明において、前記玄関ホールの温度を検知する玄関温検知手段と、前記隣接屋内空間の温度を検知する隣接屋内温検知手段と、前記各検知手段により検知された前記玄関ホール及び前記隣接屋内空間の各温度を比較し、その比較結果に基づいて、前記第１通気部及び前記第２通気部のうちいずれかを前記通気状態とする通気制御手段を備えることを特徴とする。
【００１７】
本発明によれば、玄関ホールの温度と隣接屋内空間の温度とが比較されその比較結果に基づいて、第１通気部及び第２通気部のうちいずれかが通気状態とされる。具体的には、空調装置の冷房運転時においては、玄関ホールの温度が隣接屋内空間の温度よりも低い場合には第２通気部を通気状態とし、玄関ホールの温度が隣接屋内空間の温度以上である場合には第１通気部を通気状態とするよう、通気制御手段による通気制御を行う。これにより、空調装置の冷房運転時には、玄関ホールの空気及び隣接屋内空間の空気のうち、比較的温度の低い空気が機械室に自動的に取り込まれる。また、空調装置の暖房運転時においては、玄関ホールの温度が隣接屋内空間の温度よりも高い場合には第１通気部を通気状態とし、玄関ホールの温度が隣接屋内空間の温度以下である場合には第２通気部を通気状態とするよう、通気制御手段による通気制御を行う。これにより、空調装置の暖房運転時には、玄関ホールの空気及び隣接屋内空間の空気のうち、比較的温度の高い空気が機械室に自動的に取り込まれる。よって、この場合、上記第４の発明の効果を得るにあたって、利便性を高めることができる。
【図面の簡単な説明】
【００１８】
【図１】建物の間取りを示す平面図。
【図２】機械室における引き戸周辺の構成を示す縦断面図。
【図３】空調制御処理を示すフローチャート。
【図４】他の実施形態における建物の間取りを示す平面図。
【発明を実施するための形態】
【００１９】
以下に、本発明を具体化した一実施の形態について図面を参照しつつ説明する。なお、図１は建物の間取りを示す平面図である。
【００２０】
図１に示すように、建物１０には、屋内スペースとして、玄関１１と、廊下１２と、リビング１３と、機械室１４とが設けられている。玄関１１には玄関出入口１６が設けられ、この玄関出入口１６を通じて建物１０への出入りが可能となっている。玄関出入口１６には、同出入口１６を開閉する玄関ドア１７が設けられている。玄関ドア１７は、例えば回動式のドアよりなる。廊下１２は玄関１１に連続して設けられており、玄関１１と廊下１２との連続スペースが玄関ホールに相当するものとなっている。
【００２１】
リビング１３は、仕切壁１９を隔てて玄関１１及び廊下１２と隣接している。仕切壁１９には、廊下１２とリビング１３との間を行き来するための出入口２１が設けられており、出入口２１にはドア２２が設けられている。ドア２２は、例えば回動式のドア（開き戸）からなる。ドア２２はアンダーカットされており、ドア２２の下端部とその下方の床面との間の隙間が通気部（図示略）となっている。なお、リビング１３が、隣接屋内空間及び居室に相当する。
【００２２】
機械室１４（空調機械室）には、空調装置２０が設置されている。機械室１４は、仕切壁２５によって四方を囲まれており、仕切壁２５を隔てて廊下１２及びリビング１３と隣接している。仕切壁２５において機械室１４を廊下１２と仕切る壁部２５ａには廊下側出入口２６が設けられている。この廊下側出入口２６を通じて廊下１２から機械室１４へ出入りすることが可能となっている。廊下側出入口２６には、当該出入口２６を開閉する引き戸２７が設けられている。ここで、引き戸２７が玄関側建具に相当するものとなっている。引き戸２７が閉められた状態では廊下側出入口２６の開口全域が閉鎖されるようになっている。この場合（詳細には、さらに後述する通気開口部３１を閉鎖した場合）、廊下１２と機械室１４との間で廊下側出入口２６を通じた通気が遮断される。また、引き戸２７には、開閉駆動手段としての引き戸駆動部４５が設けられている。引き戸駆動部４５は、引き戸２７の開閉駆動を行うものであり、例えば電動モータ等の電動式の駆動機構からなる。
【００２３】
仕切壁２５において機械室１４をリビング１３と仕切る壁部２５ｂにはリビング側出入口２８が設けられている。このリビング側出入口２８を通じてリビング１３から機械室１４への出入りが可能となっている。具体的には、壁部２５ｂは上記の壁部２５ａと対向して設けられており、それ故リビング側出入口２８は廊下側出入口２６と対向する位置関係で配置されている。リビング側出入口２８には、当該出入口２８を開閉する引き戸２９が設けられている。ここで、引き戸２９が居室側建具に相当するものとなっている。引き戸２９が閉められた状態ではリビング側出入口２８の開口全域が閉鎖されるようになっている。この場合（詳細には、さらに後述する通気開口部３３を閉鎖した場合）、リビング１３と機械室１４との間でリビング側出入口２８を通じた通気が遮断される。
【００２４】
なお、仕切壁２５及び各引き戸２７，２９によって囲い部が構成されている。
【００２５】
図２は、機械室１４における引き戸２７，２９周辺の構成を示す縦断面図である。なお、図２では機械室１４に設置された空調装置２０等の図示を省略している。図２に示すように、廊下１２側の引き戸２７には、廊下１２と機械室１４とを連通する通気開口部３１が設けられている。通気開口部３１には、横方向に長尺状をなす複数のスラット３２が上下に並べて設けられている。これら各スラット３２はそれぞれ回動可能に軸支されており、回動することにより通気開口部３１を開放する開状態と、通気開口部３１を閉鎖する閉状態とに移行可能とされている。また、引き戸２７には、各スラット３２を回動駆動するスラット駆動部３６が設けられている。スラット駆動部３６は、例えば周知の電動式モータからなる。
【００２６】
リビング１３側の引き戸２９には、リビング１３と機械室１４とを連通する通気開口部３３が設けられている。通気開口部３３には、上記通気開口部３１と同様に、複数のスラット３４が上下に並べて設けられ、それら各スラット３４が回動可能に軸支されている。そして、各スラット３４が回動することにより、通気開口部３３を開放する開状態と、通気開口部３３を閉鎖する閉状態とに移行可能とされている。また、引き戸２９には、各スラット３４を回動駆動するスラット駆動部３７が設けられ、同駆動部３７は例えば周知の電動式モータからなる。
【００２７】
図１の説明に戻り、本実施形態の建物１０には、機械室１４に設置された空調装置２０を有して構成される全館空調システムが導入されている。この全館空調システムでは、建物１０内における空調対象となる複数の部屋に対して、共通の空調装置２０より通気ダクト２３（図１において波線で示す）を通じて空調空気（冷気又は暖気）を供給することで、それら各部屋の冷暖房を行うこととしている。本実施形態では、空調対象の部屋として例えばリビング１３を含んでおり、通気ダクト２３の一部がリビング１３に設置された吹出グリル２４に接続されている。この場合、吹出グリル２４には通気ダクト２３を介して空調装置２０から空調空気が供給され、その供給された空調空気が吹出グリル２４よりリビング１３に吹き出される。
【００２８】
空調装置２０は、少なくとも冷房及び暖房機能を有する室内機として構成されている。空調装置２０は、機械室１４に流れ込む空気を還気ＲＡとして取り込んで温度調整を行うことにより空調空気（冷気又は暖気）を生成し、その生成した空調空気を各部屋に供給する。
【００２９】
また、機械室１４は、空調装置２０の設置スペースとして用いられている他、衣服を収納する収納スペースとして用いられている。これにより、機械室１４のスペースについて有効利用が図られている。具体的には、機械室１４には、衣服を掛けるためのハンガーラック３９が設けられており、ハンガーラック３９には例えば居住者のコート等の上着（アウター）が掛けられている。したがって、居住者が外出する際には、玄関１１近くの機械室１４より上着を取り出すことができ都合がよい。
【００３０】
なお、機械室１４を、上着以外の衣類を収納するスペースとして用いたり、生活用品等衣類以外の物品を収納するスペースとして用いたりしてもよい。また、機械室１４に物品を収納する収納部としてクローゼットや収納棚等を設置してもよい。
【００３１】
続いて、空調システムの電気的構成について説明する。
【００３２】
廊下１２には、玄関温検知手段としての廊下温センサ４１が設けられている。廊下温センサ４１は、廊下１２の温度を検知するセンサであり、例えば廊下１２の壁面に設けられている。なお、廊下温センサ４１に代えて、玄関１１の温度を検知する温度センサを玄関温検知手段として設けてもよい。リビング１３には、居室温検知手段としてのリビング温センサ４２が設けられている。リビング温センサ４２は、リビング１３の温度を検知するセンサであり、例えばリビング１３の壁面に設けられている。また、廊下１２側の引き戸２７の近くには、開閉検知手段としての開閉検知センサ４４が設けられている。開閉検知センサ４４は、引き戸２７が開いているか否か（開閉状態）を検知するセンサであり、例えば壁部２５ａに設けられている。
【００３３】
建物１０には、建具制御手段及び通気制御手段としてのコントローラ４０が設けられている。コントローラ４０は、ＣＰＵ等を有する周知のマイクロコンピュータを主体に構成されており、例えばリビング１３の内壁面に設けられている。コントローラ４０には、空調装置２０からの空調実施情報が逐次入力される。具体的には、空調実施情報として、空調装置２０が作動中であるか否かに関する作動情報や、空調装置２０が冷房及び暖房のいずれの運転を行っているかに関する冷暖房情報等がコントローラ４０に入力される。また、コントローラ４０には、廊下温センサ４１、リビング温センサ４２及び開閉検知センサ４４から逐次検知結果が入力される。コントローラ４０は、空調実施情報及び各温度センサ４１，４２からの検知結果に基づいて各スラット駆動部３６，３７に駆動信号を出力するとともに、空調実施情報及び開閉検知センサ４４からの検知結果に基づいて引き戸駆動部４５に駆動信号を出力する。
【００３４】
続いて、コントローラ４０により実施される空調制御の内容について図３のフローチャートを用いて説明する。なお、本処理は所定の周期で繰り返し実行される。
【００３５】
図３において、まずステップＳ１１では、空調実施情報（作動情報）に基づいて空調装置２０が作動しているか否かを判定する。空調装置２０が作動していない場合には本処理を終了する。空調装置２０が作動している場合にはステップＳ１２に進む。
【００３６】
ステップＳ１２では、開閉検知センサ４４からの検知結果に基づいて廊下１２側の引き戸２７が開いているか否かを判定する。引き戸２７が閉じている場合にはステップＳ１４に進む。引き戸２７が開いている場合にはステップＳ１３に進み、引き戸駆動部４５に閉信号を出力して引き戸２７を閉じる。これにより、空調装置２０の作動時、すなわち建物１０内における空調実施時において、引き戸２７が開けられたとしても、引き戸２７が自動で閉められるため、引き戸２７の閉状態を確実に維持できる。
【００３７】
ステップＳ１４では、空調実施情報（冷暖房情報）に基づいて空調装置２０が冷房運転及び暖房運転のいずれの運転を実施しているかを判定する。空調装置２０が冷房運転中である場合には、ステップＳ１５に進み、廊下温サンサ４１及びリビング温センサ４２からの検知結果に基づいて、リビング１３の温度よりも廊下１２の温度が低くなっているか否かを判定する。廊下１２の温度がリビング１３の温度以上となっている場合にはステップＳ１６に進む。
【００３８】
ステップＳ１６では、リビング１３側のスラット駆動部３７に開信号を出力し、各スラット３４を開状態とする。これにより、リビング１３側の通気開口部３３が開放される。続くステップＳ１７では、廊下１２側のスラット駆動部３６に閉信号を出力し、各スラット３２を閉状態とする。これにより、廊下１２側の通気開口部３１が閉鎖される。この場合、比較的温度の高い廊下１２の空気（詳細にはリビング１３の温度と同じ温度である廊下１２の空気も含む）が機械室１４に流れ込むのが防止されるとともに、比較的温度の低いリビング１３の空気（詳細には廊下１２の温度と同じ温度であるリビング１３の空気も含む）が通気開口部３３を通じて機械室１４に取り込まれる。
【００３９】
一方、ステップＳ１６においてリビング１３の温度よりも廊下１２の温度が低くなっている場合にはステップＳ１８に進む。ステップＳ１８では、廊下１２側のスラット駆動部３６に開信号を出力し、各スラット３２を開状態とする。これにより、廊下１２側の通気開口部３１が開放される。続くステップＳ１９では、リビング１３側のスラット駆動部３７に閉信号を出力し、各スラット３４を閉状態とする。これにより、リビング１３側の通気開口部３３が閉鎖される。この場合、比較的温度の高いリビング１３の空気が機械室１４に流れ込むのが防止されるとともに、比較的温度の低い廊下１２の空気が通気開口部３１を通じて機械室１４に取り込まれる。よって、空調装置２０の冷房運転時には、廊下１２の空気及びリビング１３の空気のうち、温度の低い側の空気が機械室１４に取り込まれるようになっている。
【００４０】
一方、先のステップＳ１４において空調装置２０が暖房運転中である場合には、ステップＳ２０に進み、廊下温サンサ４１及びリビング温センサ４２からの検知結果に基づいて、リビング１３の温度よりも廊下１２の温度が高くなっているか否かを判定する。廊下１２の温度がリビング１３の温度以下となっている場合にはステップＳ２１に進む。
【００４１】
ステップＳ２１と続くステップＳ２２とは上述したステップＳ１６及びＳ１７と同様の処理である。すなわち、これらのステップＳ２１，Ｓ２２を実施することで、リビング１３側の通気開口部３３が開放されるとともに、廊下１２側の通気開口部３１が閉鎖される。この場合、比較的温度の低い廊下１２の空気（詳細にはリビング１３の温度と同じ温度である廊下１２の空気も含む）が機械室１４に流れ込むのが防止されるとともに、比較的温度の高いリビング１３の空気（詳細には廊下１２の温度と同じ温度であるリビング１３の空気も含む）が通気開口部３３を通じて機械室１４に取り込まれる。
【００４２】
ステップＳ２０においてリビング１３の温度よりも廊下１２の温度が高くなっている場合にはステップＳ２３に進む。ステップＳ２３と続くステップＳ２４とは上述したステップＳ１８及びＳ１９と同様の処理である。すなわち、これらのステップＳ２３，Ｓ２４を実施することで、廊下１２側の通気開口部３１が開放されるとともに、リビング１３側の通気開口部３３が閉鎖される。この場合、比較的温度の低いリビング１３の空気が機械室１４に流れ込むのが防止されるとともに、比較的温度の高い廊下１２の空気が通気開口部３１を通じて機械室１４に取り込まれる。よって、空調装置２０の暖房運転時には、廊下１２の空気及びリビング１３の空気のうち、温度の高い側の空気が機械室１４に取り込まれるようになっている。
【００４３】
以上、詳述した本実施形態の構成によれば、以下の優れた効果が得られる。
【００４４】
空調装置２０が設置された機械室１４を玄関ホール（すなわち玄関１１及び廊下１２との連続空間）に隣接して設け、機械室１４には廊下側出入口２６を通じて廊下１２からの出入りを可能とし、機械室１４の周囲を囲む囲い部の一部として廊下側出入口２６を開閉する引き戸２７を設けた。そして、この引き戸２７を、当該引き戸２７により廊下側出入口２６を閉じた状態で廊下側出入口２６を通じた廊下１２と機械室１４との間の通気を遮断するものとした。この場合、屋外からの熱の出入りが多い玄関ホールの空気が機械室１４に流れ込むのを防止できる。また、玄関ホールに対して仕切壁１９を隔ててリビング１３を設け、リビング１３を機械室１４に仕切壁２５を隔てて隣接させるとともに、リビング１３を機械室１４と通気可能に連通させる第１通気部（具体的には通気開口部３３及びスラット３４をリビング１３側の引き戸２９に設けた。この場合、リビング１３は屋外からの熱の出入りが少ない空間となっており、かかる空間から機械室１４に空気が取り込まれ、その空気をもとに空調装置２０による空調空気の生成が行われる。これにより、空調装置２０の負荷軽減を図ることができる。
【００４５】
リビング１３から機械室１４へ出入りするためのリビング側出入口２８を設け、囲い部の一部として、リビング側出入口２８を開閉する引き戸２９を設けた。これにより、リビング１３から機械室１４へのアクセスがよくなるため、機械室１４において衣服を収納したり整理したりする場合には都合がよい。そして、リビング１３側の引き戸２９に第１通気部（通気開口部３３及びスラット３４）を設けたため、仕切壁２５に第１通気部を設ける場合と比べ、仕切壁２５周辺の意匠性が損なわれるのを回避することができる。
【００４６】
また、玄関ホールから機械室１４へ出入りするための廊下側出入口２６と、機械室１４からリビング１３へ出入りするためのリビング側出入口２８とに加え、玄関ホールとリビング１３とを仕切る仕切壁１９に玄関ホールからリビング１３へ出入りするための出入口２１を設けた。この場合、玄関ホールからリビング１３に至る動線を２通り確保できるため、リビング１３に客がいるか否かに応じてリビング１３への入り方を変える等の対応が可能となる。
【００４７】
空調装置２０の作動時において、廊下１２側の引き戸２７が開いているか否かを検知する開閉検知センサ４４と、引き戸２７を開閉駆動する引き戸駆動部４５とを設け、開閉検知センサ４４により引き戸２７が開いていることが検知された場合に、引き戸２７を閉じるよう引き戸駆動部４５を制御した。この場合、空調装置２０の作動時に、引き戸２７が開けられたとしても引き戸２７が自動で閉められるため、空調実施時において廊下側出入口２６を確実に閉鎖でき、ひいては玄関ホールから機械室１４への空気の流れ込みを確実に防止できる。
【００４８】
リビング１３側の引き戸２９に第１通気部を設けることに加え、廊下１２側の引き戸２７に玄関ホールを機械室１４と通気可能に連通させる第２通気部（通気開口部３１及びスラット３２）を設けた。そして、これら各通気部について、それぞれ通気状態と非通気状態とで切替可能とした。具体的には、第１通気部についてはリビング１３側の通気開口部３３に設けられたスラット３４を開閉することにより通気／非通気の切替を行うようにした。一方、第２通気部については、廊下１２側の通気開口部３１に設けられたスラット３２を開閉することにより通気／非通気の切替を行う構成とした。この場合、各通気開口部３１，３３のうちいずれか一方を開放させることで通気状態とし、他方を閉鎖することで非通気状態とすることにより、機械室１４への空気の取り込み先をリビング１３及び廊下１２のいずれかに切り替えることができる。これにより、夏場においては、帰宅して空調装置２０を運転開始した直後等、廊下１２の温度よりもリビング１３の温度が高くなっている場合には、比較的低温である廊下１２の空気を機械室１４に取り込むことが可能となる。これにより、空調装置２０の負荷軽減をより一層図ることが可能となる。
【００４９】
廊下温センサ４１により検知された廊下１２の温度と、リビング温センサ４２により検知されたリビング１３の温度とを比較し、その比較結果に基づいて、第１通気部及び第２通気部のうちいずれかを通気状態とするよう制御した。具体的には、上記比較結果に基づいて、リビング１３側の通気開口部３３及び廊下１２側の通気開口部３１のうちいずれかを選択的に開放させるよう、リビング１３側のスラット３４及び廊下１２側のスラット３２を開閉制御するようにした。より詳しくは、空調装置２０の冷房運転時においては、廊下１２の温度がリビング１３の温度よりも低い場合には廊下１２側の通気開口部３１を開き、廊下１２の温度がリビング１３の温度以上である場合にはリビング１３側の通気開口部３３を開くよう、各スラット３２，３４を開閉制御する構成とした。これにより、空調装置２０の冷房運転時には、廊下１２の空気及びリビング１３の空気のうち、比較的温度の低い空気が機械室１４に自動的に取り込まれる。また、空調装置２０の暖房運転時においては、廊下１２の温度がリビング１３の温度よりも高い場合には廊下１２側の通気開口部３１を開き、廊下１２の温度がリビング１３の温度以下である場合にはリビング１３側の通気開口部３３を開くよう、各スラット３２，３４を開閉制御する構成とした。これにより、空調装置２０の暖房運転時には、廊下１２の空気及びリビング１３の空気のうち、比較的温度の高い空気が機械室１４に自動的に取り込まれる。よって、この場合、各通気開口部３１，３３のうちいずれかを通じた通気を可能とすることで、空調装置２０の負荷のより一層の軽減を図るという上述の効果を得るにあたって、利便性を高めることができる。
【００５０】
隣接屋内空間としてのリビング１３を空調装置２０による空調対象とした。この場合、リビング１３の冷暖房を効率よく行うことができる。
【００５１】
本発明は上記実施形態に限らず、例えば次のように実施されてもよい。
【００５２】
（１）上記実施形態では、第１通気部（具体的には通気開口部３３及びスラット３４）を囲い部においてリビング１３側の引き戸２９に設けたが、これを変更し、仕切壁２５、具体的には仕切壁２５においてリビング１３と機械室１４とを仕切る壁部（例えば壁部２５ｂ等）に設けてもよい。なお、この場合、リビング側出入口２８を設けない構成とすることができる。また、第１通気部の構成として、単に通気開口部３３を設けるだけの構成（すなわち、スラット３４を設けない構成）としてもよい。
【００５３】
（２）上記実施形態では、機械室１４への空気の取り込み先となる隣接屋内空間を居室としてのリビング１３としたが、これを変更して、隣接屋内空間を納戸や廊下（詳細には玄関ホールに対して仕切壁により隔てられた廊下）等の非居室空間としてもよい。また、上記実施形態では、機械室１４への出入口２６，２８として、廊下側出入口２６及びリビング側出入口２８を設けたが、さらに、その他の屋内空間から機械室１４に出入りするための出入口を設けてもよい。その一例を図４に示す。図４に示す建物５０には、玄関１１、廊下１２、リビング１３、機械室１４に加えてサニタリ５１が設けられている。サニタリ５１は、図示しない浴室と隣接しており、脱衣所として利用されている。機械室１４には、廊下１２及びリビング１３の他にサニタリ５１が隣接しており、機械室１４を囲む仕切壁５２においてサニタリ５１と機械室１４とを仕切る壁部５２ａにはサニタリ５１から機械室１４への出入りを可能とする出入口５３が設けられている。すなわち、本例の建物５０では、機械室１４への出入口として、廊下１２側の出入口５４、リビング１３側の出入口５５、サニタリ５１側の出入口５３の計３つの出入口が設けられている。この場合、機械室１４へのアクセス性を高めることができるため、機械室１４を物を収納する収納スペースとして利用する等、空調装置２０の設置以外の用途として利用する際には都合がよい。また、サニタリ５１と廊下１２との間に機械室１４を設けたことにより、屋外からの熱の出入りが多い廊下１２からサニタリ５１に直接空気が流れ込むのを防止できる。この場合、サニタリ５１の温度が屋外の温度の影響により変動するのを抑制できるため、例えばサニタリ５１で着替えを行う際に居住者がヒートショックを起こす等の不都合を抑制できる。
【００５４】
（３）上記実施形態では、空調装置２０による空調対象として、隣接屋内空間としてのリビング１３を含めたが、必ずしも隣接屋内空間を空調対象に含める必要はない。
【００５５】
（４）開閉検知センサ４４により廊下１２側の引き戸２７が開かれていることが検知されている場合には、空調装置２０の作動を一時的に停止するようにしてもよい。これにより、引き戸２７が開かれている場合には、空調装置２０による空調空気の生成が、ひいては空調装置２０による機械室１４の空気の取り込みが行われないため、開放された廊下側出入口２６を通じて廊下１２の空気が機械室１４に流れ込むのを抑制できる。
【００５６】
（５）上記実施形態では、玄関側建具及び居室側建具として引き戸２７，２９を設けたが、これら各建具のうち少なくともいずれかを回動式の開き戸としてもよい。例えば、玄関側建具を開き戸とした場合には、開き戸は廊下側出入口２６を閉鎖した状態で、廊下側出入口２６を通じた機械室１４と廊下１２との間を通気を遮断するものとする。また、居室側建具を開き戸とした場合には、開き戸はリビング側出入口２８を閉鎖した状態で、リビング側出入口２８を通じた機械室１４とリビング１３との間の通気を遮断するものとする。
【００５７】
（６）上記実施形態では、第２通気部（具体的には通気開口部３１及びスラット３２）を囲い部において廊下１２側の引き戸２７に設けたが、これを変更し、仕切壁２５（具体的にはその壁部２５ａ）に設けてもよい。
【符号の説明】
【００５８】
１０…建物、１１…玄関、１２…廊下、１３…隣接屋内空間及び居室としてのリビング、１４…機械室、２０…空調装置、２５…仕切壁、２６…玄関側出入口としての廊下側出入口、２７…玄関側建具としての引き戸、２８…居室側出入口としてのリビング側出入口、２９…居室側建具としての引き戸、３１…通気開口部、３２…スラット、３３…通気開口部、３４…スラット、４０…建具制御手段及び通気制御手段としてのコントローラ、４１…玄関温検知手段としての廊下温センサ、４２…居室温検知手段としてのリビング温センサ、４４…開閉検知手段としての開閉検知センサ、４５…引き戸駆動部。
【図１】
2012241350.tif 000003
【図２】
2012241350.tif 000004
【図３】
2012241350.tif 000005
【図４】
2012241350.tif 000006